(57)【特許請求の範囲】
【請求項１】
長尺材の全体を覆うように内部に長尺材を収容する長尺材の梱包箱であって、
前記梱包箱は、一側に梱包箱内部に収容した長尺材を端部から引き出すための梱包箱外方に開口した引出口を有した梱包箱の外壁を構成する外側壁と、前記外側壁の内側に、外側壁に沿って設けられ、前記引出口から外方に臨むように引出口内に張り出した張出部を有する内側壁と、前記張出部に設けられ前記引出口から引き出した長尺材の端部を挿し入れることで端部を保持させられる保持部と、が設けられ、
前記保持部は、前記梱包箱外方に臨む位置と、前記保持部に長尺材の端部を保持させた状態で、長尺材が梱包箱の一側外方に突出しないように、梱包箱内方に下がった位置と、を変位するように、前記張出部を含む内側壁の一部または内側壁の全体が収容箱内に傾動可能となっていることを特徴とする長尺材の梱包箱。
【請求項２】
長尺材の全体を覆うように内部に長尺材を収容する長尺材の梱包箱であって、
前記梱包箱の一側は、梱包箱の外壁を構成する外側壁と、前記外側壁の内側に、外側壁に沿って設けられた内側壁と、から構成されており、内部に収容した長尺材を端部から引き出すための梱包箱外方に開口した引出口が設けられ、
前記内壁壁には、前記引出口から外方に臨むように配置されて、前記引出口から引き出した長尺材の端部を折り返して引出口外方から挿し入れることで保持させられる保持部または保持部形成予定部を有する張出部が設けられているとともに、前記保持させた長尺材の端部を含む梱包箱内に収容した長尺材のすべてを梱包箱内に収容可能とすべく、前記張出部を含む一部または全部が梱包箱内に傾動可能となっていることを特徴とする長尺材の梱包箱。
【請求項３】
前記張出部は、前記引出口から梱包箱外方にまで傾動しないよう設けられていることを特徴とする請求項１または請求項２のいずれか一項に記載の長尺材の梱包箱。
【請求項４】
前記引出口は、前記梱包箱と一部が連結された開閉動自在な蓋体により閉塞されることを特徴とする請求項１から請求項３のいずれか一項に記載の長尺材の梱包箱。
【請求項５】
請求項１から請求項４のいずれか一項に記載の梱包箱を用いた長尺材の収容構造であって、
前記梱包箱は、略直方体形状であり、
内部に収容した前記長尺材は、巻回された巻回束からなり、巻回束の中央側から長尺材を順次引き出せるように、巻回束の側部の一方が、梱包箱の前記一側を向くように収容されるとともに、前記巻回束の中央側から引き出された端部は前記保持部に保持されており、前記保持部は梱包箱内方に下がって保持部に保持させた端部を含む梱包箱内に収容した長尺材の全てが梱包箱内に収まっていることを特徴とする長尺材の収容構造。
【請求項６】
前記引出口は、除去可能な閉鎖板、または、開閉動自在な蓋体により、閉鎖されていることを特徴とする請求項５に記載の長尺材の収容構造。
【請求項７】
長尺材と、請求項１から請求項４のいずれか一項に記載の梱包箱と、からなる長尺材の梱包箱装置。
【発明の詳細な説明】
【技術分野】
【０００１】
本発明は、ケーブル等の線材や、スパイラルチューブのようなケーブル保護管、ドレンホース等の管材からなる長尺材を収容し、所定長ずつ引き出して使用される長尺材の梱包箱に関する。
【背景技術】
【０００２】
平板帯状からなる長尺の帯体を巻回した状態で内部に収容する長尺材の梱包装置（特許文献１）が提案されている。
【０００３】
特許文献１に記載の長尺材の梱包装置は、所定長引き出した巻回束の引出先端部を、箱体の引出開口の側部に形成されたスリット部に挿入することで、非使用時において、巻回束の引出先端部をスリット部内で仮保持させて、次回の使用時に引出先端部を即座に探し出すことができる。
【先行技術文献】
【特許文献】
【０００４】
【特許文献１】特許第４５１５８７９号
【発明の概要】
【発明が解決しようとする課題】
【０００５】
しかしながら、特許文献１に記載のスリット部は、箱体に形成された引出開口の開口方向に対して直交方向となっており、その挿入作業は、やりにくかった。また、ある程度剛性のある帯体であるため、巻回束を回動させながら引き出せるが、柔軟なケーブルやドレンホースのような線材や管材は、その巻回束を維持しながら回動させるのは困難であり、巻回束を解きほぐすように、巻回束の内側から引き出す場合がある。この際、内側から引き出した線材や管材の引出先端部をスリット部に挿入するには、巻回束の側部上を横切ってスリット部に挿入する必要があり、箱体外面よりも線材や管材が突出してしまい、蓋体を閉じることができなかったり、箱体を積み重ねたり並べたりする際に邪魔となっていた。
【０００６】
本発明は、このような従来の問題点を解決するためになされたものであり、その目的は、作業を始める際に、箱内に収容された長尺材の引出側となる端部を即座に探し出すことができるとともに、保管時には、箱外に長尺材が突出しないように収容できる長尺材の梱包箱の提供である。
【課題を解決するための手段】
【０００７】
請求項１に記載の発明に係る長尺材の梱包箱は、長尺材の全体を覆うように内部に長尺材を収容する長尺材の梱包箱である。前記梱包箱は、一側に梱包箱内部に収容した長尺材を端部から引き出すための梱包箱外方に開口した引出口を有した梱包箱の外壁を構成する外側壁と、前記外側壁の内側に、外側壁に沿って設けられ、前記引出口から外方に臨むように引出口内に張り出した張出部を有する内側壁と、前記張出部に設けられ前記引出口から引き出した長尺材の端部を挿し入れることで端部を保持させられる保持部と、が設けられている。
【０００８】
そして、前記保持部は、前記梱包箱外方に臨む位置と、前記保持部に長尺材の端部を保持させた状態で、長尺材が梱包箱の一側外方に突出しないように、梱包箱内方に下がった位置と、を変位するように、前記張出部を含む内側壁の一部または内側壁の全体が収容箱内に傾動可能となっている。
【０００９】
この長尺材の梱包箱によれば、保持部が梱包箱外方に臨むため、長尺材の引き出した端部を保持部に保持させる保持操作がやりやすく、また、保持部に長尺材の端部を保持させた状態で、保持部が長尺材の端部とともに梱包箱内に下がった位置へと変移するため、長尺材が梱包箱の一側外方から突出しない。さらに、長尺材の端部を保持部に保持させられるため、中断した作業を再開する際などには、箱内に収容された長尺材の引出側となる端部を即座に探し出すことができる。
【００１０】
また、請求項２に記載の発明に係る長尺材の梱包箱は、長尺材の全体を覆うように内部に長尺材を収容する長尺材の梱包箱である。前記梱包箱の一側は、梱包箱の外壁を構成する外側壁と、前記外側壁の内側に、外側壁に沿って設けられた内側壁と、から構成されており、内部に収容した長尺材を端部から引き出すための梱包箱外方に開口した引出口が設けられている。そして、前記内壁壁には、前記引出口から外方に臨むように配置されて、前記引出口から引き出した長尺材の端部を折り返して引出口外方から挿し入れることで保持させられる保持部または保持部形成予定部を有する張出部が設けられているとともに、前記保持させた長尺材の端部を含む梱包箱内に収容した長尺材のすべてを梱包箱内に収容可能とすべく、前記張出部を含む一部または全部が梱包箱内に傾動可能となっている。この長尺材の梱包箱によれば、予めまたは後に形成される長尺材の端部を保持する保持部が引出口から外方に臨むように配置されており、引き出した長尺材の端部を保持部に保持させる保持操作がやりやすい。また、梱包箱の外壁を構成する外側壁とは別に内部に設けられた内側壁に保持部を設け、その内側壁は梱包箱内に傾動可能となっており、梱包箱の外形状を変形させることなく、長尺材の端部を保持した状態でそのすべてが梱包箱内に収容できる。さらに、長尺材の端部を保持部に保持させられるため、中断した作業を再開する際などには、箱内に収容された長尺材の引出側となる端部を即座に探し出すことができる。
【００１１】
また、請求項３に記載の発明に係る長尺材の梱包箱は、請求項１または請求項２のいずれか一項に記載の長尺材の梱包箱であって、前記張出部は、前記引出口から梱包箱外方にまで傾動しないよう設けられている。この長尺材の梱包箱によれば、長尺材の引き出し時に張出部が、長尺材につられて引出口から梱包箱外方に変移することがなく、長尺材の端部を保持させる際にはすでに梱包箱内部に位置しており、長尺材の端部を保持させるとともに直ちに内部に傾動させられる。
【００１２】
また、請求項４に記載の発明に係る長尺材の梱包箱は、請求項１から請求項３のいずれかに記載の長尺材の梱包箱であって、前記引出口は、前記梱包箱と一部が連結された開閉動自在な蓋体により閉塞される。この長尺材の梱包箱によれば、収容・保管時において、蓋体が引出口を閉塞し、収容した長尺材の紫外線劣化や異物の侵入を抑制することができる。
【００１３】
また、請求項５に記載の発明に係る長尺材の収容構造は、請求項１から請求項４のいずれか一項に記載の梱包箱を用いた長尺材の収容構造である。前記梱包箱は、略直方体形状であり、内部に収容した前記長尺材は、巻回された巻回束からなり、巻回束の中央側から長尺材を順次引き出せるように、巻回束の側部の一方が、梱包箱の前記一側を向くように収容されるとともに、前記巻回束の中央側から引き出された端部は前記保持部に保持されている。そして、前記保持部は梱包箱内方に下がって保持部に保持させた端部を含む梱包箱内に収容した長尺材の全てが梱包箱内に収まっている。この長尺材の収容構造によれば、端部を保持させた状態で長尺材が収容され、梱包箱外方には長尺材が突出していない。そのため、梱包箱の前記一側と一側と対向する側を上下として上下方向に複数の梱包箱を積み重ねても、その間に長尺材が挟まることが無い。仮に下側の梱包箱の外部へと保持した長尺材の端部が突出していても、保持部が梱包箱内に下がり、長尺材のすべてが梱包箱内に収まるため、長尺材が積み重ねの支障とはならない。また、長尺材の端部が保持部に保持されているため、作業を始める際に、箱内に収容された長尺材の引出側となる端部を即座に探し出すことができる。
【００１４】
また、請求項６に記載の長尺材の収容構造は、請求項５に記載の長尺材の収容構造において、前記引出口は、除去可能な閉鎖板、または、開閉動自在な蓋体により、閉鎖されている。これによれば、収容・保管時において、蓋体が引出口を閉塞し、収容した長尺材の紫外線劣化や異物の侵入を抑制することができる。
【００１５】
また、請求項７に記載の長尺材の梱包箱装置は、長尺材と、請求項１から請求項４のいずれか一項に記載の梱包箱と、からなる長尺材の梱包箱装置である。この長尺材の梱包箱装置によれば、保持部が梱包箱外方に臨むため、長尺材の引き出した端部を保持部に保持させる保持操作がやりやすく、また、保持部に長尺材の端部を保持させた状態で、保持部が長尺材の端部とともに梱包箱内に下がった位置へと変移するため、長尺材が梱包箱の一側外方から突出しない。さらに、長尺材の端部を保持部に保持させられるため、中断した作業を再開する際などには、箱内に収容された長尺材の引出側となる端部を即座に探し出すことができる。
【発明の効果】
【００１６】
この発明に係る長尺材の梱包箱、長尺材の収容構造、および、長尺材の梱包箱装置によれば、作業を始める際に、梱包箱内に収容された長尺材の引出側となる端部を即座に探し出すことができるとともに、保管時には、梱包箱外に長尺材が突出しないように収容することができる。
【図面の簡単な説明】
【００１７】
【図１】本発明の第一実施形態の、長尺材の梱包箱の引出口から内部に収容した長尺材を引き出した状態の斜視図である。
【図２】同じく、閉塞板により引出口が塞がれた状態の梱包箱の斜視図である。
【図３】同じく、梱包箱の外側壁を開いた状態の斜視図である。
【図４】同じく、長尺材の梱包箱の展開図である。
【図５】同じく、長尺材の端部を保持部に保持させた状態の斜視図である。
【図６】同じく、長尺材を保持部に保持させた状態の横断面図であり、（ａ）は張出部の傾斜する前の状態であり、（ｂ）は張出部を傾斜させ外側壁を閉じた状態である。
【図７】その他の実施形態の、長尺材の梱包箱の斜視図である。
【図８】同じく、断面図である。
【図９】収容する長尺材の一例であるスパイラルチューブの斜視図である。
【発明を実施するための形態】
【００１８】
以下、複数の実施形態を挙げて、本発明を更に詳細に説明する。
（第一実施形態）
【００１９】
まず、図１〜図６を参照して、本発明の第一実施形態について説明する。図中符号１は、本実施形態の長尺材の梱包箱であり、ケーブル等の線材や、スパイラルチューブのようなケーブル保護管、ドレンホース等の管材からなる長尺材８が収容される収容空間を内部に有した略直方体形状を成し、その一側に、前記長尺材が端部から順に引き出されるための梱包箱外方に開口した引出口２が設けられている。詳細には、それぞれが矩形状の面が４面つらなった周壁と、対向する天壁（本実施形態では正方形状）及び底壁（本実施形態では天壁と同様に正方形状）とからなり、前記天壁を前記一側として、前記収容空間に収容された長尺材が引き出される引出口２が当該壁を貫くように貫通形成されている。
【００２０】
この梱包箱１は、長尺材８を引き出す前（例えば長尺材を梱包した工場出荷時など）においては、図２に示すように、前記引出口２が形成された側壁（梱包箱の一側であって本実施形態における天壁）には、環状にミシン目２１が形成されている。つまり、前記引出口２は破断可能な前記ミシン目２１により引出口２の周縁に沿って側壁と連結された除去可能な閉塞板７ａによりその全体が閉塞されている。そして、長尺材８を梱包箱１から初めて引き出す際には、前記ミシン目２１に沿って閉塞板７ａと側壁との連結箇所を破断し、閉塞板７ａを除去することで、梱包箱外方に開口して、内部空間を外方に臨ませる前記引出口２が形成される。換言すると、前記閉塞板７ａは側壁の一部であり、除去するまでは、側壁として梱包箱の外壁の一部を構成して内部の長尺材８を保護しており、側壁に形成された環状のミシン目２１の内側となる側壁を除去することで、当該側壁を貫くように開口し、内部空間を外方に臨ませる前記引出口２が形成される。
【００２１】
前記引出口２が形成される梱包箱１の一側は、梱包箱の外壁を構成する外側壁５と、前記外側壁５の内側に、ぞれぞれが前記外側壁５の略半分の面積からなる対向した一対の内側壁６（６ａ、６ｂ）が、外側壁の内面に沿って設けられている。前記内側壁６は、前記外側壁５と隣り合う他の側壁（本実施形態における周壁の対向する一対の面）から前記外側壁５の内側へと折り曲げられて、先端が前記外側壁５に設けられた引出口２を二分する位置まで延び、前記外壁側５の内面と当たりあうとともに、前記他の側壁（周壁）との折り曲げ箇所を基端として先端側が梱包箱内へと傾動可能になっている。そして、各内側壁６の外側壁５に設けられた引出口２と対応する箇所には、前記外側壁の引出口を塞がないように、前記引出口と略同一形状の切り欠きＢが形成されている。ただし、各内側壁（６ａ、６ｂ）のうち一方の内側壁６ａは、引出口２の形状と完全には一致せずに、円形状の引出口２に対して一部を直線状として引出口内へと張り出す張出部４が設けられて、前記外側壁５と前記一方の内側壁６とを面接させた状態で、内側壁６の一部である張出部４が引出口２から外方に臨むように形成されている。
【００２２】
前記張出部４には、前記収容した長尺材８の端部８ａを保持する保持部３が設けられている。前記保持部３は、前記収容した長尺材の端部８ａが先端から挿入可能な内側壁６（６ａ）（張出部４）を厚さ方向に貫通する貫通孔３ａからなり、その貫通孔内面は先端から挿入された長尺材の外面に摩擦係合して、挿入された端部の抜け戻りを規制する。より詳しく説明すると、前記保持部３は複数のスリットが放射状に延びるよう設けられて貫通孔３ａを形成し、挿入する長尺材に対して各スリット間の壁がたわみながらその挿入を許容し、先端側で挿入した長尺材８（８ａ）の外面を圧接して抜け戻りを規制する。また、前記貫通孔３ａ（保持部３）は、前記外側壁５と前記内側壁６とを面接させて引出口２から外方に張出部４を臨ませた状態で、貫通孔３ａの貫通方向が引出口２の開口から外方に向いている。（本実施形態では、引出口２の開口方向と貫通孔３ａの貫通方向が一致している。）
【００２３】
なお、本実施形態においては、内側壁６を一対（６ａと６ｂ）設けて、その一方のみ（６ａのみ）に張出部４を設けたが、一対の両方に張出部を設けて各張出部に保持部を設けても良い。また、内側壁６を外側壁５と略同一の大きさとした二分されていない１枚から構成し、引出口と対応する位置に、内側壁を貫通する切り欠きＢを形成したものでも良い。さらには、内側壁を２枚ではなく、３枚や４枚であっても良く、張出部が設けられていない他方の内側壁（本実施形態における６ｂ）は省略しても良い。なお、梱包箱の一側の全体を外側壁と内側壁との二重構造とすることで梱包箱全体の強度を増すことができる。
【００２４】
次に、以上の構成からなる長尺材の梱包箱１と長尺材８とからなる長尺材の梱包箱装置における長尺材を収容した状態である長尺材の収容構造について説明する。内部に収容空間を形成するように箱状に組み立てられた梱包箱１の収容空間内に長尺材８が収容されている。長尺材８は、ドーナツ状に巻回された巻回束９からなり、その巻回束の側部の一方９ｂが、前記梱包箱１の一側（引出口２が形成された側）を向くように収容されており、巻回束の中央側９ａから長尺材８が順次引き出されるようになっている。そして、前記中央側９ａから引き出された長尺材の端部８ａが、前記保持部３（貫通孔３ａ）に、長尺材の先端から挿入されて保持されている（図５参照）。この状態で、前記引出口２が形成される前記外側壁５を閉じることで、前記長尺材８（９）の全体が外方に露出しないようにその全体が覆われる。この時点では前記引出口２が形成される箇所は前記閉塞板７ａにより閉塞されている。
【００２５】
前記保持部３に保持された長尺材の端部８ａは、前記外側壁５を閉じる前においては、梱包箱１よりも外方に突出している（図６（ａ）参照）が、前記張出部４を含む内側壁６の一方の全体が梱包箱１の内方に向かって傾動可能となっているため、前記外側壁５を閉じる際に、外側壁内面が突出している長尺材の端部８ａを押し下げ、続いて前記一方の内側壁６ａを傾動させて、保持部３に長尺材を保持させたままで、長尺材の端部８ａを含む長尺材８（巻回束９）の全てを梱包箱１内に収めることができる（図６（ｂ）参照）。また、前記内側壁６（張出部４）の傾動により、前記長尺材の突出が障害とならずに前記外側壁５を閉じることができる。この外側壁５を閉じた状態では、前記傾動した内側壁６（張出部４）は、その端部が内部に収容した長尺材の側部の一方９ｂを押圧しており、梱包箱内での長尺材８（巻回束９）の自由な揺動を抑制している。
【００２６】
そして、初めて長尺材８を引き出す際には、前記外側壁５に形成されたミシン目２１に沿って外側壁５と閉塞板７ａとの連結箇所を破断し、閉塞板７ａを除去して引出口２を形成する。（この際、図５のように外側壁５を開いて除去作業しても良く、図２のように外側壁５を閉じた状態で梱包箱１の外側から除去作業しても良い。）そして、形成した引出口２から手を差し入れて保持部３に保持された長尺材の端部８ａを把持して貫通孔３ａから強制的に引き抜くことで長尺材の端部８ａを梱包箱内で探すことなく直ちに引き出し作業に移ることができる。仮に、保持部３が梱包箱内方に入り込んでいても、内方へと傾動した内側壁６（張出部４）を掴んで引出口手前側に引き寄せて引出口２から前記保持部３を外方に臨ませ、長尺材の端部８ａを把持すれば良い。また、長尺材８がある程度の断発力を有していれば、前記閉塞板７ａを梱包箱１の外側からの除去作業後に、閉塞板７ａにより梱包箱内へと押圧されて押し込まれていた長尺材の端部８ａが形成された引出口２から突出するため、より効率よく端部を把持することが可能となる。
【００２７】
前記長尺材の端部８ａを把持して所定長引き出して作業した後、次の作業までの間、運搬したり保管したりする際には、前記保持部３を前記引出口２から外方に臨ませて長尺材の端部８ａを先端から貫通孔３ａに挿入して保持させ、保持部３（内側壁６）を梱包箱内へと、長尺材の端部８ａが梱包箱１から突出しない位置まで傾動させることで、長尺材の全体が梱包箱内に収容できる。梱包箱１の外部に長尺材８（端部８ａ）が突出しないため、複数の梱包箱をくっつけて横に並べたり上下に積み重ねても、長尺材が干渉することが無く、また、狭いスペースに並べることができる。なお、直接作業者が長尺材の端部８ａを保持させた保持部３の傾動操作を行わなくとも、例えば複数の梱包箱を引出口２が設けられた梱包箱の一側及び一側と対向する側を上下として積み重ねるように保管する場合には、上に積み重ねた他の梱包箱によって、引出口２から突出した長尺材の端部８ａを押し下げるように下の梱包箱内に押し込ませても良い。
【００２８】
○前記長尺材の梱包箱１は、引出口２を閉塞する除去可能な閉塞板７ａに代えて、引出口の全体を閉塞可能な開閉動自在な蓋体としても良い。前記蓋体は、一部を残して破断可能なミシン目２１により側壁と連結されて形成されても良く、また、除去した前記閉塞板を貼着テープ等で側壁と連結することで蓋体を形成しても良い。
【００２９】
○前記保持部３は、長尺材の端部８ａの保持状態で梱包箱内方に下がった位置へと変位可能であれば、例えば長尺材の引き出し時に梱包箱１の外方まで傾動しても良い。ただし、前記第一実施形態に示したように、保持部３が設けられた張出部４が内側壁６と一体的に形成されて、内側壁６が外側壁５の内面に面接して梱包箱外方への傾動を規制することで、引出口２の一部を構成する張出部４の先端が、ばたばたせずに長尺材の引き出しの邪魔にならない。
【００３０】
○前記長尺材の梱包箱１は、その他の実施形態として図７〜図８に示すように、前記ミシン目２１を破断する際に指を掛ける指掛孔２２を設け、当該指掛孔２２を形成するために抜かれた箇所を側壁と連結されたまま残して梱包箱内に折り曲げて、その箇所を前記保持部３を設けた張出部４としても良い。この場合、第一実施形態における内側壁は省略しても良いし設けても良い。
【００３１】
○前記第一実施形態において、保持部３を設けた張出部４と内側壁６とが一体に形成されるとともに内側壁６を梱包箱内方へと傾動させることで、内側壁６とともに前記張出部４および保持部３が梱包箱内方へと下がった位置に変位したが、内側壁６に対して保持部３のみまたは保持部３および張出部４のみが梱包箱内方へと下がった位置に変位するように設けても良い。また、内側壁６の全体が傾動するのではなく、その一部が傾動する構成としても良い。
【００３２】
○前記第一実施形態の閉塞板７ａやその他の実施形態の蓋体は、引出口２の一部のみを閉塞するものでも良く、また、１枚ではなく、分割された複数枚で構成されても良い。
【００３３】
○長尺材８は、ケーブルや電線等の線材の他、保護管（例えば図９に示すように長手方向に連続して螺旋状にスリットが入ったスパイラルチューブと呼ばれるケーブル保護管Ｓｃ）やエアコンのドレン排水に用いられるドレンホース等の排水管等の管材が挙げられる。
【００３４】
○前記保持部３は、予め形成された貫通孔３ａにより構成されているが、梱包箱内へと下がった位置に変位可能な前記内側壁６や前記張出部４を設けておいて、必要時にカッター等で保持部３（貫通孔３ａ）を形成しても良い。これは、梱包箱内に傾動可能な前記内側壁６や前記張出部４の前記引出口２から外方に臨む箇所が保持部形成予定部となっている。この場合、工場出荷時などの未使用時には、保持部３に長尺材の端部８ａが保持されていないが、長尺材の巻回束をバラけないように結束しておけば良い。そして、所定長引き出す作業を中断する時に前記保持部３を形成し保持させておくことで、作業再開時に直ちに端部を見つけ出せる保持部が形成可能である。
○前記保持部３の貫通孔３ａは放射状のスリットとしたが、例えば一条のスリットや長尺材の外形上にあわせてくり貫いた形状を有する貫通孔に変更しても良い。
○前記長尺材の梱包箱を、ダンボール製とすれば、使用後の解体や廃棄処理が簡単である。
【符号の説明】
【００３５】
１...梱包箱、２...引出口、３...保持部、４...張出部、５...外側壁、６...内側壁、７ａ...閉塞板、８...長尺材、９...巻回束、９ａ...巻回束の中央側、９ｂ...巻回束の側部の一方
【図１】
0005809002.tif 000002
【図２】
0005809002.tif 000003
【図３】
0005809002.tif 000004
【図４】
0005809002.tif 000005
【図５】
0005809002.tif 000006
【図６】
0005809002.tif 000007
【図７】
0005809002.tif 000008
【図８】
0005809002.tif 000009
【図９】
0005809002.tif 000010